(57)【要約】【課題】第１透明部材が荷重を受けて撓んで下方への変位が生じた場合に、前記荷重が一カ所に集中しないようにして、第１透明部材が破損する虞を低減すること。【解決手段】原稿が載置される第１透明部材１３と、第１透明部材１３の下方に配置され、第１透明部材１３に載置された原稿を読み取る読取センサー１６と、読取センサー１６を第１透明部材１３の面に沿う方向に移動可能に下方から支持する摺動部１８と、摺動部１８を下方から支持可能な支持部１９と、を有する。【選択図】図２
2020202496.tif 000002
【特許請求の範囲】
【請求項１】
原稿が載置される第１透明部材と、
前記第１透明部材の下方に配置され、前記第１透明部材に載置された原稿を読み取る読取センサーと、
前記読取センサーを前記第１透明部材の面に沿う方向に移動可能に下方から支持する摺動部と、
前記摺動部を下方から支持可能な支持部と、
を有する、ことを特徴とする画像読取装置。
【請求項２】
請求項１に記載の画像読取装置において、
自動搬送される原稿を前記読取センサーで読み取るための第２透明部材と、
前記第１透明部材と前記第２透明部材とを橋渡しする橋渡し部と、を有し、
前記支持部の位置は、前記橋渡し部が下方へ変位することにより前記摺動部に生じる下方への変位を規制可能な位置である、
ことを特徴とする画像読取装置。
【請求項３】
請求項１または２に記載の画像読取装置において、
前記読取センサーは両端を移動可能に支持され、
前記摺動部は両端を支持されている、
ことを特徴とする、画像読取装置。
【請求項４】
請求項１から３のいずれか一項に記載の画像読取装置において、
前記支持部の位置は、電源オフポジションに位置する前記読取センサーと重なる位置である、
ことを特徴とする画像読取装置。
【請求項５】
請求項４に記載の画像読取装置において、
前記読取センサーの前記電源オフポジションにおける位置は、前記橋渡し部と重なる位置である、
ことを特徴とする画像読取装置。
【請求項６】
請求項１から５のいずれか一項に記載の画像読取装置において、
前記支持部は、前記摺動部に沿う方向における複数の異なる位置に配置されている、
ことを特徴とする画像読取装置。
【請求項７】
請求項１から６のいずれか一項に記載の画像読取装置において、
前記支持部と前記摺動部との間に緩和部材を有する、
ことを特徴とする画像読取装置。
【請求項８】
請求項１から７のいずれか一項に記載の画像読取装置において、
前記摺動部と前記支持部との間は、隙間を有している、
ことを特徴とする画像読取装置。
【請求項９】
請求項８に記載の画像読取装置において、
前記隙間は前記第１透明部材の限界撓み量よりも小さく設けられている、
ことを特徴とする画像読取装置。
【請求項１０】
請求項１から７のいずれか一項に記載の画像読取装置において、
前記支持部は弾性部材を有しており、
前記弾性部材は前記摺動部を一定の力で押している、
ことを特徴とする画像読取装置。
【請求項１１】
請求項１から９のいずれか一項に記載の画像読取装置において、
前記支持部は、前記摺動部に沿って延びる細長形状をなしている、
ことを特徴とする画像読取装置。
【発明の詳細な説明】
【技術分野】
【０００１】
本発明は、画像読取装置に関する。
【背景技術】
【０００２】
従来、自動搬送装置付き複合印刷装置において、フラットベッド式画像読取機構の読取ガラスと、自動搬送装置の読取ガラスとは並んで配置され、それぞれの読取ガラスは橋渡し部により橋渡しされる構造となっている。
【０００３】
前記フラットベッド式画像読取機構の前記読取ガラスは、荷重等を受けることにより撓みを生じ、限界撓み量を超えた場合には破損する虞がある。そのため、従来からその破損の虞を低減する種々の工夫がなされている。
【０００４】
特許文献１には、原稿を載せる載置部材と、前記載置部材を挟んで前記原稿に対向して配置され、前記載置部材に載置された前記原稿の画像を読み取る読取部と、前記載置部材の外周縁部を支持する筐体と、を有する画像読取装置において、前記載置部材の外周縁部以外を支持する支持部材を有し、前記支持部材は、前記筐体に当接する当接部を備え、前記当接部が前記筐体に当接した状態で前記載置部材を支持可能である構成が開示されている。  
そして、その構成により、前記画像読取装置が物流時等に衝撃を受けた際に、前記支持部材により前記載置部材を読取部側から支えることで衝撃を吸収し、前記載置部材の破損を防止することが出来ると記載されている。
【先行技術文献】
【特許文献】
【０００５】
【特許文献１】特開２０１３−０６６１６９号公報
【発明の概要】
【発明が解決しようとする課題】
【０００６】
しかし、特許文献１に記載の画像読取装置は、前記筐体に当接する前記当接部を備えた前記支持部材により前記載置部材が直接支持されている。そのため、前記載置部材に加わった衝撃がほぼそのまま前記支持部材との接触部位に作用する。このため、前記衝撃が前記接触部位に衝撃が集中してしまい、前記載置部材が前記支持部材との前記接触部位で破損する場合がある。
【課題を解決するための手段】
【０００７】
上記課題を解決するための本発明の画像読取装置は、原稿が載置される第１透明部材と、前記第１透明部材の下方に配置され、前記第１透明部材に載置された原稿を読み取る読取センサーと、前記読取センサーを前記第１透明部材の面に沿う方向に移動可能に下方から支持する摺動部と、前記摺動部を下方から支持可能な支持部と、を有する、ことを特徴とする。
【図面の簡単な説明】
【０００８】
【図１】本発明の実施形態１に係る画像読取装置を備えた複合機を左前方から見た斜視図。
【図２】同実施形態１に係る画像読取装置の断面図であって読取センサーが電源オフポジションに位置する状態における要部のＹＺ断面図。
【図３】同実形態１に係る画像読取装置の左前方から見た斜視図。
【図４】同実形態１に係る画像読取装置の要部のＸＺ断面図。
【図５】実施形態２に係る画像読取装置の要部のＸＺ断面図。
【図６】実施形態３に係る画像読取装置の要部のＸＺ断面図。
【発明を実施するための形態】
【０００９】
最初に、本発明について概略的に説明する。  
上記課題を解決するための本発明の第１の態様に係る画像読取装置は、原稿が載置される第１透明部材と、前記第１透明部材の下方に配置され、前記第１透明部材に載置された原稿を読み取る読取センサーと、前記読取センサーを前記第１透明部材の面に沿う方向に移動可能に下方から支持する摺動部と、前記摺動部を下方から支持可能な支持部と、を有する、ことを特徴とする。
【００１０】
本態様によれば、前記読取センサーを前記第１透明部材の面に沿う方向に移動可能に下方から支持する摺動部と、前記摺動部を下方から支持可能な支持部を有する。これにより、第１透明部材に荷重が掛かることにより前記第１透明部材が撓んで変形し下方への変位が生じた場合に、その下方への変位は前記第１透明部材の下方に配置されている前記読取センサーに伝わり、更に前記読取センサーを下方から支持する前記摺動部に伝わる。そして、前記摺動部が下方に変位して前記支持部に支持された状態となり、これにより、前記第１透明部材の撓み変形による下方への変位が止まる。  
言い換えると、前記第１透明部材が荷重を受けて撓んで下方への変位が生じた場合に、その変位を前記支持部で直接受けるのではなく、前記読み取りセンサー及び前記摺動部を介して、即ちこれらを間に置いて前記支持部で間接的に受ける構造である。これにより、前記荷重が従来のように前記接触部位の一カ所に集中しないので、前記第１透明部材に荷重がかかって撓んだ場合において、当該第１透明部材が破損する虞を低減することができる。
【００１１】
本発明の第２の態様の画像読取装置は、第１の態様において、自動搬送される原稿を前記読取センサーで読み取るための第２透明部材と、前記第１透明部材と前記第２透明部材とを橋渡しする橋渡し部と、を有し、前記支持部の位置は、前記橋渡し部が下方へ変位することにより前記摺動部に生じる下方への変位を規制可能な位置である、ことを特徴とする。
【００１２】
自動搬送される原稿を読取るための第２透明部材を備えるタイプの画像読取装置において、前記第１透明部材と前記第２透明部材とを橋渡しする橋渡し部は、第１透明部材が荷重を受けた際に、変形量が大きい領域である。  
本態様によれば、前記支持部の位置は、前記橋渡し部が下方へ変位することにより前記摺動部に生じる下方への変位を規制可能な位置である。言い換えると、前記支持部は前記橋渡し部の下方であって前記摺動部の予め設定される一定量以上の変位を規制できる位置に配置されている。これにより、前記支持部は変形量の大きいところに位置しているので、第１透明部材の破損の虞を効果的に低減することができる。
【００１３】
本発明の第３の態様の画像読取装置は、第１の態様又は第２の態様において、前記読取センサーは両端を移動可能に支持され、前記摺動部は両端を支持されている、ことを特徴とする。
【００１４】
本態様によれば、前記読取センサーは両端を支持されているので、前記第１透明部材の撓み変形に基いて、該読取センサーに荷重が掛かった場合に当該読取センサーは下方に撓み変形することにより前記荷重を受けることができる。また、前記摺動部は両端を支持されているので、前記読取センサーが下方に撓み変形することに伴って前記摺動部についても前記荷重を下方に撓み変形することにより受けることができる。  
言い換えると、前記第１透明部材が荷重を受けて撓んで下方への変位が生じた場合に、第１段階として、前記読み取りセンサーの撓み変形と前記摺動部の撓み変形に基づく弾性反発力よって前記荷重を受けることができる。しかも、前記弾性反発力は、前記読み取りセンサーの撓み変形と前記摺動部の撓み変形が大きくなるにつれて増大するので、第１透明部材の撓み変形量が大きくなるにつれて前記弾性反発力も大きくなり、前記荷重を低減する方向で該荷重を受けることができる。即ち、前記摺動部が前記支持部に支持される状態に至る前の段階で前記荷重を低減する効果が得られる。  
そして第２段階として、前記摺動部が前記支持部に支持される状態に至ることで、第１の態様と同様に、前記第１透明部材が破損する虞を低減することができる。
【００１５】
本発明の第４の態様の画像読取装置は、第１の態様から第３の態様のいずれか一つの態様において、前記支持部の位置は、電源オフポジションに位置する前記読取センサーと重なる位置である、ことを特徴とする。  
ここで、「電源オフポジション」とは、画像読取装置の電源をＯＦＦした際に前記読取センサーが取る位置を意味する。  
また、「重なる位置」とは、画像読取装置の上面視において、前記支持部と読取センサーが互いの全体が重なっている位置関係に限られず、少なくとも一部が重なる位置も含む意味で本願明細書では使われている。他の態様においても同様である。
【００１６】
電源ＯＦＦの状態において、前記第１透明部材が荷重を受けて撓んで下方への変位が生じた場合に、本態様によれば、前記支持部の位置は、電源オフポジションに位置する前記読取センサーと重なる位置であるので、第１の態様と同様の効果を得ることができる。
【００１７】
本発明の第５の態様の画像読取装置は、第４の態様において、前記読取センサーの前記電源オフポジションにおける位置は、前記橋渡し部と重なる位置であることを特徴とする。
【００１８】
電源ＯＦＦの状態において、前記第１透明部材が荷重を受けて撓んで下方への変位が生じた場合に、本態様によれば、前記橋渡し部の位置は、電源オフポジションに位置する前記読取センサーと重なる位置であるので、第２の態様と同様の効果を得ることができる。
【００１９】
本発明の第６の態様の画像読取装置は、第１の態様から第５の態様のいずれか一つの態様において、前記支持部は、前記摺動部に沿う方向における複数の異なる位置に配置されている、ことを特徴とする。
【００２０】
本態様によれば、前記支持部は、前記摺動部に沿う方向における複数の異なる位置に配置されているので、前記摺動部に沿う複数の異なる位置において前記第１透明部材に生じる下方への変位に対処することができる。
【００２１】
本発明の第７の態様の画像読取装置は、第１の態様から第６の態様のいずれか一つの態様において、前記支持部と前記摺動部との間に緩和部材を有する、ことを特徴とする。
【００２２】
本態様によれば、前記支持部と前記摺動部との間に緩和部材を有するので、前記摺動部を前記支持部により支持する際の衝撃を緩和することができる。また、前記摺動部は前記緩和部材を介して支持部に支持されるので、前記支持部に支持されることにより前記摺動に傷が生じる虞が少ない。
【００２３】
本発明の第８の態様の画像読取装置は、第１の態様から第７の態様のいずれか一つの態様において、前記摺動部と前記支持部との間は隙間を有している、ことを特徴とする。
【００２４】
本態様によれば、前記摺動部と前記支持部との間に隙間を有しているので、前記読取センサーを前記摺動部に移動可能に取り付ける構造を設計するに際して、前記取り付け構造の設計の自由度が高まり、以って適切な取り付け構造することにより、性能を向上することができる。
【００２５】
本発明の第９の態様の画像読取装置は、第８の態様において、前記隙間は前記第１透明部材の限界撓み量よりも小さく設けられている、ことを特徴とする。  
ここで、「限界撓み量」とは、前記第１透明部材に荷重が掛かることにより生じる撓みの程度であって、破断に至らない限界の撓み量をいい、材料の強度、寸法および厚みによって決まる。
【００２６】
本態様によれば、前記隙間は前記第１透明部材の限界撓み量よりも小さく設けられているので、前記第１透明部材が限界撓み量以上に下方に変位することがなく、以って前記第１透明部材が破損する虞を低減することができる。
【００２７】
本発明の第１０の態様の画像読取装置は、第１の態様から第７の態様のいずれか一つの態様において、前記支持部は弾性部材を有しており、前記弾性部材は前記摺動部を一定の力で押している、ことを特徴とする。  
ここで、「一定の力」とは、前記支持部が前記摺動部を押すことによって前記荷重による前記第１透明部材の撓み変形を抑制できる範囲の力として設定されるものである。
【００２８】
本態様によれば、前記支持部は弾性部材を有しており、前記弾性部材は前記摺動部を一定の力で押している。これにより、前記摺動部への上方向からの荷重が前記「一定の力」以下の場合には、前記摺動部に撓みが生じることを抑えることができる。また、前記摺動部への前記荷重が前記「一定の力」より大きい場合には、前記摺動部に下方への変位が生じるとともに、前記弾性部材には前記摺動部の下方への変位に基づく変形が生じる。この変形により前記弾性部材に上方への反発力が生じるので、前記荷重により生じる下方への変位の量を小さく抑えることができる。
【００２９】
本発明の第１１の態様の画像読取装置は、第１の態様から第９の態様のいずれか一つの態様において、前記支持部は、前記摺動部の移動方向に沿って延びる細長形状をなしている、ことを特徴とする。
【００３０】
本態様によれば、前記支持部は、前記摺動部に沿って延びる細長形状をなしているので、前記摺動部に沿う広い範囲において前記摺動部の下方への変位を前記支持部により抑制することができる。
【００３１】
［実施形態１］
以下に、本発明の記録装置を図１〜図４に表す実施形態１を例にとって、詳細に説明する。  
尚、以下の説明において、Ｙ軸に沿った方向は画像読取装置の幅方向であり、＋Ｙ方向は複合機１を正面視した際の左方向、−Ｙ方向は複合機１を正面視した際の右方向となる。また、Ｘ軸に沿った方向は装置奥行き方向であり、＋Ｘ方向は装置背面から装置前面に向かう方向、−Ｘ方向は装置前面から背面に向かう方向となる。また、Ｚ軸に沿った方向は鉛直方向であり、＋Ｚ方向は鉛直上方、−Ｚ方向は鉛直下方となる。
【００３２】
スキャナーユニット１０を有する複合機１の全体構成について、図１を参照して説明する。図１に示す複合機１は、印刷機能を担う印刷ユニット２と、印刷ユニット２の上部に、画像読取機能を担うスキャナーユニット１０とを有している。
【００３３】
複合機１の装置前面の上部には、図１に示すとおり操作部６が設けられている。操作部６には、液晶パネル等の表示手段が設けられている。操作部６を操作することにより、複合機１に対して印刷ユニット２における印刷動作、及びスキャナーユニット１０における画像読取動作の指示を入力する。
【００３４】
複合機１において印刷ユニット２は、図１に示すように、印刷用紙を収容する用紙収容カセット３を下部に備えている。印刷ユニット２の内部には印刷部４が設けられ、用紙収容カセット３から搬送される印刷用紙に対して印刷部４により印刷が実行される。印刷後の印刷用紙は排出部７から排出されて、排出トレイ５に載置される。複合機１において排出部７及び排出トレイ５は、装置高さ方向であるＺ軸方向において、スキャナーユニット１０と用紙収容カセット３の間に設けられている。
【００３５】
スキャナーユニット１０は、図１に示すように、透明な原稿台である第１透明部材１３に載置された原稿を読み取る画像読取装置１１と、給送トレイ２０に載置される原稿を自動で搬送して画像読取装置１１の画像読取領域を通過させる自動搬送装置１２と、を備えている。自動搬送装置１２は、画像読取装置１１の上部に設けられている。
【００３６】
自動搬送装置１２は、図１に示すように、画像読取装置１１の後方、すなわち−Ｘ方向における端部を回動支点として画像読取装置１１に対して開閉可能に接続されている。自動搬送装置１２は、図１において実線で示すように、閉じた姿勢と、図１において点線で示すように開いた姿勢とを切換え可能に構成されている。自動搬送装置１２を開くことで、原稿を載置する原稿台である第１透明部材１３が開放される。
【００３７】
＜画像読取装置＞
図２及び図３に表したように、本実施形態に係る画像読取装置１１は、原稿が載置される第１透明部材１３と、第１透明部材１３の下方に配置され、第１透明部材１３に載置された原稿を読み取る読取センサー１６と、読取センサー１６を第１透明部材１３の面に沿う方向に移動可能に下方から支持する摺動部１８と、摺動部１８を下方から支持可能な支持部１９と、を有する。  
本実施形態では、更に、自動搬送される原稿を読取センサー１６で読み取るための第２透明部材１４と、第１透明部材１３と第２透明部材１４とを橋渡しする橋渡し部１５と、を有する。支持部１９の位置は、橋渡し部１５が下方へ変位することにより摺動部１８に生じる下方への変位を規制可能な位置である。  
以下、画像読取装置１１の各構成について図２から４を参照して具体的に説明する。
【００３８】
＜第１透明部材＞
第１透明部材１３は、原稿を載置する原稿台であり、原稿を載置可能な大きさを有している。図２に表したように、第１透明部材１３は、無色透明な長方形のガラス板である。この長方形のガラス板の長辺の方向は、摺動部１８の長手方向に沿っている。長方形の第１透明部材１８の２つの長辺と１つの短辺の３辺は、画像読取装置１１のフレーム３４（図３）の上端部に下側から支持されている。第１透明部材２３上に載置された原稿の画像は、読取センサー１６によって第１透明部材１３越しに読み取りが行われる。
【００３９】
第１透明部材１３は、図２に示すように、フレーム３４に支持されていない残りの１辺が橋渡し部１５によって第２透明部材１４に橋渡しされて保持されている。本実施形態では、第２透明部材１４は、橋渡し部１５に保持されている１辺以外の３辺はフレーム３４に下側から支持されている。
【００４０】
＜橋渡し部＞
橋渡し部１５は、上記の通り、第１透明部材１３と第２透明部材１４とを橋渡ししている。具体的には、橋渡し部１５は、金属板を折り曲げて形成された補強部材２１を有しており、第１透明部材１３の＋Ｙ方向における外周縁部および第２透明部材１４の−Ｙ方向における外周縁部が、補強部材２１に取り付けられて橋渡しされている。ここで、補強部材２１の＋Ｙ方向における端部には、剛性向上のためヘミング曲げ加工が施されている。  
橋渡し部１５は、第１透明部材１３が荷重を受けた際に、変形量が大きい領域である。
【００４１】
＜読取センサー＞
読取センサー１６は、上記の通り、第１透明部材１３に載置された原稿の画像を読み取るものである。読取センサー１６は、本実施形態では、ＣＩＳ（Ｃｏｎｔａｃｔ  Ｉｍａｇｅ  Ｓｅｎｓｏｒ）方式のイメージセンサーである。読取センサー１６は、第１透明部材１３のＸ方向における幅に相当する幅を読み取ることができる長さを、Ｘ方向において有している。
【００４２】
読取センサー１６は、図２に示すように、第１透明部材１３、第２透明部材１４および橋渡し部１５の下方に配置される。また、読取センサー１６は、キャリッジ１７を介して摺動部１８により下方から支持されている。  
読取センサー１６のＸ方向における両端は、上記の通り、フレーム３４により移動可能に支持されている。読取センサー１６は、第１透明部材１３に載置された原稿の画像を移動することにより読み取る。
【００４３】
＜摺動部＞
摺動部１８は、図２に示すとおり、Ｙ軸と平行に配置されたガイド軸であり、キャリッジ１７を介して、読取センサー１６を第１透明部材１３の面に沿う方向、即ちＹ軸と平行な方向に移動可能に支持する。また、摺動部１８は、ベースフレーム３３に固定された金属製の補強部材３１に固定された、金属製の軸支持部３２ａ、３２ｂ（図３）によってＹ軸方向における両端を支持されている。  
なお、摺動部１８はガイド軸に限られず、例えば樹脂製のレールによって構成されてもよい。
【００４４】
キャリッジ１７は、本実施形態では、図４に表したように、摺動部１８の側面から上側にかけて接触するスライド部３６によって摺動部１８に取り付けられている。すなわち、スライド部３６は、摺動部１８の側面より下側は開放する構造である。読取センサー１６は静電気除去のための接地板２９を備えているが、この接地板２９の先端が摺動部１８の側面より下側の前記開放部分に接地されている。  
尚、スライド部３６は、摺動部１８の全周を囲う非開放構造でもよい。
【００４５】
読取センサー１６を摺動部１８に沿って移動させるための駆動部２２（図３）は、本実施形態では、図３に表したように、ベルトアンドプーリー機構、ステッピングモーター等によって構成されている。駆動部２２は、図２及び図３に示すとおり、ベルトアンドプーリー機構を構成するベルト２２ａを介してキャリッジ１７を移動させる。
【００４６】
フレキシブルフラットケーブル３０（以下「ＦＦＣ３０」）は、図２に示すように、図示しない制御部とキャリッジ１７に保持される読取センサー１６とを電気的に接続する。ＦＦＣ３０は可撓性を有するケーブルであり、キャリッジ１７の移動動作に追従して変形する。  
ＦＦＣ３０は、キャリッジ１７から＋Ｙ方向に向けて延びた後、曲げ半径を有して下方向に反転し、−Ｙ方向に延びている。
【００４７】
＜支持部＞
支持部１９は、図２及び図４に表れているように、摺動部１８を下方から支持可能に設けられている。支持部１９は、ベースフレーム３３（図２）に設けられ、ベースフレーム３３と一体に形成されている。本実施形態では、支持部１９は、図４に表したように、円柱形状をしているが、この形状に限定されないことは勿論である。支持部１９は、図２に表したように、ベースフレーム３３に設けられ、ベースフレーム３３と一体に形成されている。  
上記の通り、支持部１９は、橋渡し部１５が下方へ変位することにより摺動部１８に生じる下方への変位を規制可能な位置に配置されている。言い換えると、支持部１９は橋渡し部１５の下方であって摺動部１８の予め設定される一定量以上の変位を規制できる位置に配置されている。  
尚、支持部１９は、摺動部１８に沿う広い範囲における下方への変位を抑制するため、摺動部１８に沿って延びる細長形状に形成されていてもよい。
【００４８】
支持部１９は、図２及び図４に表れているように、摺動部１８と支持部１９との間に、隙間２３を有している。この隙間２３を有することにより、読取センサー１５を摺動部１８に移動可能に取り付ける構造を設計するに際して、前記取り付け構造の設計の自由度が高まり、以って適切な取り付け構造することにより、性能を向上することができる。  
また、隙間２３のＺ方向における寸法は、第１透明部材１３の限界撓み量よりも小さく設けられている。これにより、第１透明部材１３が限界撓み量以上に下方に変位することがなく、以って第１透明部材１３が破損する虞を低減することができる。ここで、「限界撓み量」とは、第１透明部材１３に荷重が掛かることにより生じる撓みの程度であって、破断に至らない限界の撓み量をいい、材料の強度、寸法および厚みによって決まる。
【００４９】
また、本実施形態では、支持部１９は、電源オフポジション２６に位置する読取センサー１６と重なる位置に配置されている。ここで、「電源オフポジション２６」とは、画像読取装置１１の電源をＯＦＦした際に読取センサー１６が取る位置のことである。また、「重なる位置」とは、画像読取装置１１の上面視において、支持部１９と読取センサー１６が互いの全体が重なっている位置関係に限られず、少なくとも一部が重なる位置も含む意味で使われている。  
また、本実施形態では、読取センサー１６の電源オフポジション２６における位置は、橋渡し部１５と重なる位置である。ここでは一部が重なっているが、全部が重なる構造でもよい。
【００５０】
＜実施形態１の効果の説明＞
（１）本実施形態によれば、読取センサー１６を第１透明部材１３の面に沿う方向に移動可能に下方から支持する摺動部１８と、摺動部１８を下方から支持可能な支持部１９を有する。これにより、第１透明部材１３に荷重が掛かることにより第１透明部材１３が撓んで変形し下方への変位が生じた場合に、その下方への変位は第１透明部材１３の下方に配置されている読取センサー１６に伝わり、更に読取センサー１６を下方から支持する摺動部１８に伝わる。そして、摺動部１８が下方に変位して支持部１９に支持された状態となり、これにより、第１透明部材１３の撓み変形による下方への変位が止まる。  
言い換えると、第１透明部材１３が荷重を受けて撓んで下方への変位が生じた場合に、その変位を支持部１９で直接受けるのではなく、読み取りセンサー１６及び摺動部１８を介して、即ちこれらを間に置いて支持部１９で間接的に受ける構造である。従って、前記荷重が従来のように前記接触部位の一カ所に集中しないので、第１透明部材１３に荷重がかかって撓んだ場合において、第１透明部材１３が破損する虞を低減することができる。
【００５１】
（２）本実施形態に係る自動搬送される原稿を読取るための第２透明部材１４を備えるタイプの画像読取装置においては、第１透明部材１３と第２透明部材１４とを橋渡しする橋渡し部１５は、第１透明部材１３が荷重を受けた際に、変形量が大きい領域である。  
本実施形態によれば、支持部１９の位置は、橋渡し部１５が下方へ変位することにより摺動部１８に生じる下方への変位を規制可能な位置である。言い換えると、支持部１９は橋渡し部１５の下方であって摺動部１８の予め設定される一定量以上の変位を規制できる位置に配置されている。従って、支持部１９は変形量の大きいところに位置していることになるので、第１透明部材１３の破損の虞を効果的に低減することができる。
【００５２】
（３）本実施形態では、読取センサー１６は両端をフレーム３４によって支持されているので、第１透明部材１３の撓み変形に基いて、読取センサー１６に荷重が掛かった場合に読取センサー１６は下方に撓み変形することにより前記荷重を受けることができる。また、摺動部１８は両端を支持されているので、読取センサー１６が下方に撓み変形することに伴って摺動部１８についても前記荷重を下方に撓み変形することにより受けることができる。  
言い換えると、第１透明部材１３が荷重を受けて撓んで下方への変位が生じた場合に、第１段階として、読み取りセンサー１６の撓み変形と摺動部１８の撓み変形に基づく弾性反発力よって前記荷重を受けることができる。しかも、前記弾性反発力は、読み取りセンサー１６の撓み変形と摺動部１８の撓み変形が大きくなるにつれて増大するので、第１透明部材１３の撓み変形量が大きくなるにつれて前記弾性反発力も大きくなり、前記荷重を低減する方向で該荷重を受けることができる。即ち、摺動部１８が支持部１９に支持される状態に至る前の段階で前記荷重を低減する効果が得られる。  
そして第２段階として、摺動部１８が支持部１９に支持される状態に至ることで、既に説明したように、第１透明部材１３が破損する虞を低減することができる。
【００５３】
（４）画像読取装置１１が電源ＯＦＦの状態において、第１透明部材１３が荷重を受けて撓んで下方への変位が生じた場合に、本実施形態によれば、支持部１９の位置は、電源オフポジション２６に位置する読取センサー１６と重なる位置であるので、前記（１）と同様の効果を得ることができる。  
更に本実施形態によれば、橋渡し部１５の位置は、電源オフポジション２６に位置する読取センサー１６と重なる位置であるので、前記（２）と同様の効果を得ることができる。
【００５４】
また、読取センサー１６の電源オフポジション２６を、橋渡し部１５と重なる位置に設定したので、図２に示すとおり、電源オフポジション２６の読取センサー１６と＋Ｙ方向におけるフレーム３４との距離を十分にとることができる。これにより、電源オフポジション２６においてＦＣＣ３０の曲げ半径を十分にとることができるためＦＦＣ３０が、電源ＯＦＦ時に小さい曲げ半径にて曲げられた状態に長時間置かれることがなくなり、ＦＣＣ３０に曲げ癖等のダメージを生じる虞を低減することができる。
【００５５】
［実施形態２］
実施形態１の一部の構造を変えた実施形態２に係る画像読取装置１１について、図５に基づいて説明する。  
本実施形態では、図５に表したように、支持部１９と摺動部１８との間に緩和部材２４を有する。本実施形態では、支持部１９は上部に緩和部材２４を有している。すなわち、支持部１９は、摺動部１８が下方に変位した場合に緩和部材２４が直接接触することにより支持するように構成されている。ここで、緩和部材２４は、本実施形態ではゴム材により構成されているが、バネ材により構成されていてもよい。  
尚、摺動部１８の支持部１９に対応する位置に緩和部材２４を設ける構造でもよい。
【００５６】
本実施形態によれば、支持部１９と摺動部１８との間に緩和部材２４を有するので、摺動部１８を支持部１９により支持する際の衝撃を緩和することができる。また、摺動部１８は緩和部材２４を介して支持されるので、支持部１９に支持されることにより摺動部１８に傷が生じる虞が少ない。
【００５７】
［実施形態３］
実施形態１の一部の構造を変えた実施形態３に係る画像読取装置１１について、図６に基づいて説明する。  
本実施形態では、図６に表したように、支持部１９は弾性部材２５を有しており、弾性部材２５は摺動部１８を一定の力Ｆで押している構造である。  
ここで、「一定の力」とは、支持部１９が摺動部１８を押すことによって前記荷重による第１透明部材１３の撓み変形を抑制できる範囲の力として設定される。  
弾性部材２５は、隙間２３のＺ方向の寸法より大きい厚みを有している。すなわち、弾性部材２５は、圧縮されて隙間２３に設置されており、前記圧縮に基づく反発力により摺動部１８を一定の力で上方に押している。弾性部材２５はゴム材により構成されているが、バネ材により構成されていてもよい。  
また、弾性部材２５は、摺動部１８の下部に取り付けられていてもよく、また、支持部１９の上部に取り付けられていても良い。
【００５８】
本実施形態によれば、支持部１９は弾性部材２５を有しており、弾性部材２５は摺動部１８を一定の力Ｆで押している。従って、摺動部１８への上方向からの荷重が一定の力Ｆ以下の場合には、摺動部１８に撓みが生じることを抑えることができる。また、摺動部１８への前記荷重が一定の力Ｆより大きい場合には、摺動部１８に下方への変位が生じるとともに、弾性部材２５には摺動部１８の下方への変位に基づく変形が生じる。この変形により弾性部材２５に上方への反発力が生じるので、前記荷重により生じる下方への変位の量を小さく抑えることができる。
【００５９】
［他の実施形態］
本発明の実施形態に係る記録装置１は、以上のべたような構成を有することを基本とするものであるが、本願発明の要旨を逸脱しない範囲内での部分的構成の変更や省略等を行うことも勿論可能である。
【００６０】
支持部１９は、摺動部１８に沿う方向における複数の異なる位置に配置されている構造にしてもよい。この場合において、複数の異なる位置に設けられる支持部１９の高さは、それぞれ異なる高さであってもよい。  
この構造によれば、摺動部１８に沿う複数の異なる位置において第１透明部材１３に生じる下方への変位に対処することができる。
【００６１】
また、第１透明部材１３に荷重が掛かる場合としては、原稿を画像読取装置１１の原稿台にセットする際が想定される。したがって、図２に示すように、原稿を読み取る際の読取センサー１６の移動開始位置であるホームポジション２７は、上面視で橋渡し部１５と重なる位置に設けることが好ましい。尚、図２において、符号２８は、自動搬送装置１２によって自動搬送される原稿の画像を読み取る際の読取センサー１６の位置であり、ＡＤＦホームポジション、又は待機ポジションと称される。
【００６２】
また、画像読取装置を輸送する際の読取センサー１６の位置を、電源オフポジション２６の位置と同一の位置としてもよい。
【符号の説明】
【００６３】
１…複合機、２…印刷ユニット、３…用紙収容カセット、４…印刷部、
５…排出トレイ、６…操作部、７…排出部、１０…スキャナーユニット、
１１…画像読取装置、１２…自動搬送装置、１３…第１透明部材、
１４…第２透明部材、１５…橋渡し部、１６…読取センサー、１７…キャリッジ、
１８…摺動部、１９…支持部、２０…給送トレイ、２１…補強部材、
２２…駆動部、２２ａ…ベルト、２３…隙間、２４…緩和部材、２５…弾性部材、
２６…電源オフポジション、２７…ホームポジション、
２８…ＡＤＦホームポジション又は待機ポジション、２９…接地板、
３０…ＦＦＣ、３１…補強部材、３２ａ、３２ｂ…軸支持部、
３３…ベースフレーム、３４…フレーム
【図１】
2020202496.tif 000003
【図２】
2020202496.tif 000004
【図３】
2020202496.tif 000005
【図４】
2020202496.tif 000006
【図５】
2020202496.tif 000007
【図６】
2020202496.tif 000008